(57)【要約】【課題】スキャン手段にて確実かつ短時間にアドレス帳への登録を行える画像形成装置を提供する。【解決手段】アドレス帳への各項目（名前、電話番号（ＴＥＬ）、ＦＡＸ番号（ＦＡＸ）、Ｅ−ｍａｉｌアドレス（Ｅ−ｍａｉｌ）が枠で区切られている原稿に記入し、スキャン手段１はその区切られた項目単位で認識を行う。【選択図】図２
2004056598.tif 000002
【特許請求の範囲】
【請求項１】
原稿を読み取るスキャン手段と、印刷画像データおよび複数の項目で形成されたアドレス帳を記憶する記憶手段と、前記スキャン手段にて読み取ったデータまたは前記記憶手段に記憶している印刷画像データを外部装置に送信する送信手段と、を備え、前記スキャン手段にて読み取ったデータに基づきアドレス帳への登録が可能な画像形成装置において、
前記スキャン手段にてアドレス帳への登録のための読み取りを行う場合は、線または枠体により前記複数の項目の区分を行うことを特徴とする画像形成装置。
【請求項２】
前記記憶手段に線または枠体により複数の項目の区分を行った状態の原稿データを記憶し、該原稿データを印刷する印刷手段を備えたことを特徴とする請求項１記載の画像形成装置。
【発明の詳細な説明】
【０００１】
【発明の属する技術分野】
本発明は、画像形成装置に関するものであり、特に、スキャン手段にて読み取ったデータまたは記憶手段に記憶している印刷画像データを外部装置に送信する送信手段を備えたプリンタ、ＦＡＸ、複写機像、あるいはそれらの複合機である画像形成装置に関するものである。
【０００２】
【従来の技術】
従来のＦＡＸ機能、ｓｃａｎ　ｔｏ　Ｅ−ｍａｉｌ機能、あるいはデータ転送機能を有する画像形成装置は、ＦＡＸ番号やＥ−ｍａｉｌアドレス等を記憶しておくことができるアドレス帳への登録をパネル手段に付いたキーを使用することで登録していた。
【０００３】
さらに、従来の画像形成装置として、アドレス帳への登録として画像形成装置に搭載または接続されたスキャン手段等を用いて原稿に記載された登録項目を読み込んで登録したものがあり、例えば、特開平１０−１４５４８１号公報に記載されているように、バーコードや文字読み取り装置を使用したものがあった。
【０００４】
【発明が解決しようとする課題】
ところが、従来のキーを使用してアドレス帳に登録する画像形成装置では、通常の手動操作であるパネル手段に配置されている様々なキーによるアドレス帳への登録が人為的なミスを発生させる要素が大きく、かつ非常に手間がかかるという問題があった。
【０００５】
また、従来のスキャン手段を用いてアドレス帳に登録する画像形成装置では、読み取りの際のＦＡＸ番号や電話番号等の複数の項目の区分が行われていないために用紙全体を読み取って処理をする必要があったり、バーコードを使用する等、誰もが簡単に登録ができなかったり、時間が非常にかかってしまうという問題があった。
【０００６】
【課題を解決するための手段】
本発明は、上記問題に鑑みてなされたものであり、原稿を読み取るスキャン手段と、印刷画像データおよび複数の項目で形成されたアドレス帳を記憶する記憶手段と、前記スキャン手段にて読み取ったデータまたは前記記憶手段に記憶している印刷画像データを外部装置に送信する送信手段と、を備え、前記スキャン手段にて読み取ったデータに基づきアドレス帳への登録が可能な画像形成装置において、前記スキャン手段にてアドレス帳への登録のための読み取りを行う場合は、線または枠体により前記複数の項目の区分を行う画像形成装置としたものである。
【０００７】
【発明の実施の形態】
以下、本発明の実施例について図面を用いて説明する。
図１は、本発明の画像形成装置を示す構成ブロック図であり、スキャン手段１、制御手段２、メモリ手段３、パネル手段４、ネットワーク手段５、印刷手段６よりなる。
【０００８】
アドレス帳情報を記入した原稿をスキャン手段１でスキャンしてアドレス帳情報を登録する場合、スキャン手段１で読み取ったデータを制御手段２に渡し、制御手段２にてアドレス帳の項目のいずれのデータであるかを解析する。制御手段２で解析したアドレス帳への登録データは、メモリ手段３へ渡され、アドレス帳の登録が完了する。なお、本実施例では、アドレス帳の項目として、名前、電話番号、ＦＡＸ番号、Ｅ−ｍａｉｌアドレスを設定した場合について説明する。
【０００９】
また、本実施例では、ネットワークを介したアドレス帳の登録も可能としている。例えば、外部機器からのアドレス帳への登録データをネットワーク手段５で受け取り、その登録データを制御手段２で名前、電話番号、ＦＡＸ番号、およびＥ−ｍａｉｌアドレスのいずれのデータであるかを解析し、アドレス帳への登録データとしてメモリ手段３へ渡され、アドレス帳の登録が完了する。さらに、従来と同様に、パネル手段４のキー操作での登録する方法があり、パネル手段４による指定に基づくアドレス帳の登録データを制御手段２を通してメモリ部３に記憶される。また、パネル手段４のキー操作にて、メモリ手段３のアドレス帳の内容を読み取ることができ、読み出されたデータをパネル手段４の表示部分、例えば液晶パネルに表示する。
【００１０】
このような構成により、スキャン手段１で読み取った原稿データまたは外部装置から受信してメモリ手段に格納した印刷画像データは、印刷手段６にて印刷できるとともに、メモリ手段３に記憶しているアドレス帳内の登録データにより指定した送信先にネットワーク手段５を介して送信することができるようになる。
【００１１】
次に、スキャン手段１によるアドレス帳の各項目を読み取る詳細について説明する。図２は、アドレス帳の登録データとして追加する際に用いる原稿を示す図であり、図２（ａ）はメモリ手段３に記憶されている記入前の原稿、図２（ｂ）は記入後の原稿を示す。
図１のパネル手段４にスキャン機能を用いてアドレス帳登録を行うワンタッチキーが存在し、そのキーを長く押下することにより、図２（ａ）に示す原稿がメモリ手段３から印刷手段６に渡されて印刷される。本発明では、この図２（ａ）に記されたアドレス帳への各項目（名前、電話番号（ＴＥＬ）、ＦＡＸ番号（ＦＡＸ）、Ｅ−ｍａｉｌアドレス（Ｅ−ｍａｉｌ）が枠で区切られていることを特徴としている。
【００１２】
そして、図２（ｂ）に示すように、登録したいデータを枠内に記載する。図２（ｂ）から判るように、対応する枠内に情報が書いてあれば、上下左右にずれていてもスキャン手段１にてその枠内のデータを問題なく読み取ることができるようになる。なお、本実施例では、枠により各項目を区切った場合について説明したが、線により各項目を区切ってもよい。スキャン手段１にて原稿の全てのデータをスキャンしていたのでは処理に大きな時間を要するが、本発明のように枠または線により各項目を区切り、その部分のみＯＣＲにかける処理を行えばよいために、短時間での処理（登録）が可能となる。
【００１３】
そして、そのアドレス帳の登録データを記載した原稿をスキャンする際は、スキャン手段１に原稿をセットし、パネル手段４のスキャン機能を用いてアドレス帳登録を行うワンタッチキーを押下することで、読み込みが開始してアドレス帳の登録が開始される。また、データの記入が無い項目（例えば、枠１１である京セラ三重工場のＴＥＬ項目）のデータは登録しないことになるが、それ以外の名前、ＦＡＸ、およびＥ−ｍａｉｌは登録される。
【００１４】
このように、本発明のように枠または線により各項目を区切ることにより、Ｅ−ｍａｉｌアドレスやＦＡＸ番号の項目によってその読み取り・登録ルールを変えるようにも処理でき、それにより誤読み取りや短時間の処理を可能とする。また、スキャン手段１による読み取りエラー時に、パネル手段４にて「○行○列目エラー」や「○○（名前）のＴＥＬエラー」のような表示をすることができ、その表示が出た際は、その部分に対してパネル手段４のキーにて修正を加えることができるようになる。
【００１５】
【発明の効果】
以上説明したように、本発明の画像形成装置によれば、スキャン手段にてアドレス帳への登録のための読み取りを行う場合は、線または枠体により複数の項目の区分を行うことにより、スキャン手段にて確実かつ短時間にアドレス帳への登録を行える画像形成装置を提供できる。
【図面の簡単な説明】
【図１】本発明の画像形成装置を示す構成ブロック図である。
【図２】本発明の画像形成装置のスキャン手段に載置する原稿を示す図である。
【符号の説明】
１：スキャン手段
２：制御手段
３：メモリ手段
４：パネル手段
５：ネットワーク手段
６：印刷手段
【図１】
2004056598.tif 000003
【図２】
2004056598.tif 000004